(57)【要約】【課題】  効率的に負荷を制御する。【解決手段】  人体を検知するセンサと；負荷の動作状態を判断する判断部と；前記負荷の動作状態を切換え可能に構成されたスイッチと；所定の時間のカウントが終了するまで前記負荷が遷移状態を維持するよう前記スイッチを制御可能であり、前記センサが人体を検知したときに、前記判断部が前記負荷が待機状態であると判断した場合、第１の時間のカウントを開始し、前記判断部が前記負荷が遷移状態であると判断した場合、第２の時間のカウントを開始するタイマーと；を有することを特徴とする人感スイッチを提案する。【選択図】図１
2016157512.tif 000002
【特許請求の範囲】
【請求項１】
人体を検知するセンサと；
負荷の動作状態を判断する判断部と；
前記負荷の動作状態を切換え可能に構成されたスイッチと；
所定の時間のカウントが終了するまで前記負荷が遷移状態を維持するよう前記スイッチを制御可能であり、前記センサが人体を検知したときに、前記判断部が前記負荷が待機状態であると判断した場合、第１の時間のカウントを開始し、前記判断部が前記負荷が遷移状態であると判断した場合、第２の時間のカウントを開始するタイマーと；
を有することを特徴とする人感スイッチ。
【請求項２】
前記判断部は、前記負荷の動作状態を制御する回路が導通しているか否かで、前記負荷の動作状態を判断し、
前記スイッチによって前記回路が導通され、前記センサが人体を検知したとき、前記タイマーが第１の時間をカウントしている場合第１の時間のカウントを再開し、前記タイマーが第２の時間をカウントしている場合第２の時間のカウントを再開すること
を特徴とする請求項１に記載された人感スイッチ。
【請求項３】
人体を検知したときに検知信号を発信する複数の人感センサと、
負荷の動作状態を切換え可能に構成されたスイッチと；
検知信号を発信した前記人感センサが、最初に検知信号を発信した前記人感センサであるか否かを判断する判断部と；
所定の時間のカウントが終了するまで前記負荷が遷移状態を維持するよう前記スイッチを制御可能であり、前記人感センサのいずれか一から検知信号を受信したとき、前記判断部が前記検知信号を発信した前記人感センサが最初に検知信号を発信した前記人感センサであると判断した場合、第１の時間のカウントを開始し、前記人感センサのいずれか一から検知信号を受信したとき、前記判断部が前記検知信号を発信した前記人感センサが最初に検知信号を発信した前記人感センサと異なると判断した場合、第２の時間のカウントを開始するタイマーと、
を備えることを特徴とする電気システム。
【発明の詳細な説明】
【技術分野】
【０００１】
本発明の実施形態は人感スイッチ、電気システムに関する。
【背景技術】
【０００２】
従来、人体からの放射される赤外線を検出して一つの照明器具を一定時間点灯させるスイッチ２個を３路結線する電子スイッチが知られている。
【先行技術文献】
【特許文献】
【０００３】
【特許文献１】特許第４１３４１２５号
【発明の概要】
【発明が解決しようとする課題】
【０００４】
従来の３路人感スイッチでは、人体を検知するたびにタイマーがリセットされる。そのため、たとえば人体を検知すると照明装置を点灯させ、所定時間後に停止させる人感センサを経路の両端に設置した場合、人間が経路に進入する際に片方のタイマーを起動し、経路から離脱する際にもう片方のタイマーを起動するため、人間が照明範囲にいなくても所定時間点灯し続けることになる。
【課題を解決するための手段】
【０００５】
本実施形態の人感スイッチは、人体を検知するセンサと；負荷の動作状態を判断する判断部と；前記負荷の動作状態を切換え可能に構成されたスイッチと；所定の時間のカウントが終了するまで前記負荷が遷移状態を維持するよう前記スイッチを制御可能であり、前記センサが人体を検知したときに、前記判断部が前記負荷が待機状態であると判断した場合、第１の時間のカウントを開始し、前記判断部が前記負荷が遷移状態であると判断した場合、第２の時間のカウントを開始するタイマーと；を有することを特徴とする。
【発明の効果】
【０００６】
本実施形態によれば、効率的に負荷を制御することができる。
【図面の簡単な説明】
【０００７】
【図１】第１の実施形態にかかる電気システムの構成図
【図２】第１の実施形態にかかる人感スイッチのブロック図
【図３】第１の実施形態にかかる人感スイッチの動作フロー
【図４】従来の電気システムの動作シーケンス
【図５】第１の実施形態にかかる電気システムの動作シーケンス
【図６】第２の実施形態にかかる電気システムの構成図
【図７】第２の実施形態にかかる制御装置のブロック図
【図８】第２の実施形態にかかる制御装置の動作フロー
【図９】第２の実施形態にかかる制御装置の動作シーケンス
【発明を実施するための形態】
【０００８】
本実施形態の人感スイッチは、人体を検知するセンサと；負荷の動作状態を判断する判断部と；前記負荷の動作状態を切換え可能に構成されたスイッチと；所定の時間のカウントが終了するまで前記負荷が遷移状態を維持するよう前記スイッチを制御可能であり、前記センサが人体を検知したときに、前記判断部が前記負荷が待機状態であると判断した場合、第１の時間のカウントを開始し、前記判断部が前記負荷が遷移状態であると判断した場合、第２の時間のカウントを開始するタイマーと；を有することを特徴とする。
【０００９】
以下、本発明の実施の形態について、図面を参照しながら説明する。
【００１０】
（第１の実施形態）
図１は、本実施形態の一例として、電気システムの構成を示す。電気システム１は、２つの人感スイッチ２ａ、２ｂと、人感スイッチ２ａまたは人感スイッチ２ｂによって制御される負荷としての照明３と、を有する。
【００１１】
電気システム１は、たとえば階段や廊下などに配置される、負荷としての照明、換気扇などを備えた電気システムであり、複数の人感スイッチ２ａ、２ｂがそれぞれ異なる場所に設置され、負荷が待機状態のときに前記人感スイッチ２ａ、２ｂのいずれか一方が人を検知した場合、前記負荷の動作状態が所定期間遷移状態に移行され、所定期間経過後に待機状態に戻る。遷移状態とは例えば負荷に電力が供給されて負荷を含む電力経路が導通している状態、待機状態は負荷に電力が供給されずまたは負荷を含む電力経路が導通していない状態をいう。ただし、待機状態は電力経路が導通し負荷の待機電力がわずかに流れる場合を含んでもよい。
【００１２】
本実施形態では、廊下に配置された負荷としての照明３の自動点灯システムにおいて、離間した２つの領域に検知範囲２Ｒが設定されている。ここでは、検知範囲２Ｒとして人感スイッチ２ａの検知範囲２ａＲと人感スイッチ２ｂの検知範囲２ｂＲとが設定され、人が検知範囲２ａＲから検知範囲２ｂＲ方向に向かって移動する場合について説明する。また、本実施形態では、人が人感スイッチ２ａの検知範囲２ａＲから人感スイッチ２ｂの検知範囲２ｂＲまでの移動経路を経路Ｃと称する。照明３は消灯状態を待機状態とし、人間が経路Ｃに進入した際に遷移状態として点灯状態に移行する。具体的には、人が検知範囲２ａＲから経路Ｃに進入したとき、人感スイッチ２ａが人間を検知し、照明３を点灯する。
【００１３】
図２は、第１の実施形態にかかる人感スイッチ２の機能構成を示す。人感スイッチ２は、人体を検知するセンサ２１と、照明３の動作状態を判断する判断部２２と、センサ２１および判断部２２によって起動するタイマー２３と、タイマー２３に設定されたカウント時間が経過するまで照明３を点灯させるスイッチ２４と、を有する。
【００１４】
センサ２１は、たとえば焦電型赤外線センサである。所定の検知範囲２Ｒに人間が進入したとき、センサ２１は人体を検知したことを示す検知信号を判断部２２に送信する。また、人間が検知範囲２Ｒにいる期間中、センサ２１は所定の間隔で人体を検知したことを示す検知信号を、判断部２２に送信し続けてもよい。
【００１５】
判断部２２は、センサ２１から人体を検知したことを示す信号を受信したとき、照明３の動作状態を判断する。判断部２２は、たとえば照明３を点灯させる回路が導通しているか否かで、照明３の動作状態、すなわち、照明３が待機状態または遷移状態であるかを判断する。回路の導通状態は、たとえばスイッチ２４の電圧差によって判断する。なお、動作状態は、少なくとも待機状態と遷移状態を含むが、電源線が未接続の場合や電力が供給されていない場合、故障等それ以外の動作状態が存在していてもよい。
【００１６】
タイマー２３は、センサ２１が人体を検知したことによって、判断部２２が照明３が待機状態であると判断した場合、第１の時間のカウントを開始し、判断部２２が照明３が遷移状態であると判断した場合、第２の時間のカウントを開始する、ディップスイッチやロータリースイッチなどにより構成される。具体的には、照明３が消灯しているときにセンサ２１が人体を検知した場合は第１の時間をカウントし、照明３が点灯しているときにセンサ２１が人体を検知した場合は第２の時間をカウントする。
【００１７】
第１の時間および第２の時間は、あらかじめ設定されていてもよいし、使用者によって設定変更できるようにされてもよい。本実施形態では、センサ２１ａが人体を検知したことによってタイマー２３がカウントしている間に、センサ２１ｂが人体を検知したとき、すなわち人が経路Ｃから離脱するとき、通常より早く消灯することが好ましい。よって、第２の時間が第１の時間より短いことが好まれる。以下では、第１の時間を３０秒、第２の時間を１０秒として説明する。
【００１８】
スイッチ２４は、照明３の動作状態を切換え可能に構成され、タイマー２３のカウント開始およびカウント終了に合わせ、照明３の動作状態を待機状態および遷移状態間で切換えることができる。具体的には、照明３が消灯しているときにセンサ２１が人体を検知した場合、タイマー２３が３０秒をカウント終了するまで照明３を点灯させ、照明３が点灯しているときにセンサ２１が人体を検知した場合、タイマー２３が１０秒をカウント終了するまで照明３を点灯させる。
【００１９】
なお、スイッチ２４は、電源から負荷にいたる回路の開閉を切換えるトライアック等の開閉手段を備えた切換スイッチであっても、制御信号を送信することで負荷の作動モードを切換える制御回路を搭載した電子制御装置であってもよい。
【００２０】
照明３は、スイッチ２４によって少なくとも待機状態および遷移状態を切換可能である負荷としての電気機器である。本実施形態において、待機状態および遷移状態はそれぞれ消灯状態および点灯状態を指す。なお、待機状態および遷移状態は、たとえば照明機器の調光機能による常夜点灯および通常点灯など、異なるモードであってもよい。
【００２１】
図３は、第１の実施形態にかかる人感スイッチ２の動作フローを示す。
【００２２】
まず、人感スイッチ２のセンサ２１が初めて人間を検知したとき、すなわち、人間が検知範囲２Ｒに進入したことを検知することによって開始する（Ｓ３０）。センサ２１から人間を検知した旨の検知信号を受信すると、判断部２２が照明３の動作状態が待機状態または遷移状態であるかを判断する（Ｓ３１）。具体的には、照明３に電力を供給する回路が導通しているか否かで、照明３が点灯状態であるか、消灯状態であるかを判断する。すなわち、他の人感スイッチ２のセンサ２１がその時点以前に人体を検知していれば、当該人感スイッチ２によって回路が導通され、照明３が遷移状態に移行しているため、回路が導通していれば、照明３は点灯状態が維持されていることが判断される。回路の導通状態は、たとえばスイッチ２４の電圧差によって判断する。
【００２３】
Ｓ３１で回路が導通していない場合、たとえば人が初めて経路Ｃに進入し、人感スイッチ２ａのセンサ２１が検知範囲２ａＲにおいて人体を検知したとき、人感スイッチ２ａの判断部２２は照明３が消灯していると判断し、人感スイッチ２ａのタイマー２３に第１の時間として３０秒をカウントさせる（Ｓ３２１）。次に、人感スイッチ２ａのスイッチ２４は回路を導通し、照明３を人感スイッチ２ａのタイマー２３がカウントしている期間中遷移状態に移行させる、すなわち３０秒が経過するまで点灯状態を維持させる（Ｓ３３）。
【００２４】
タイマー２３のカウントが終了すると、スイッチ２４は回路を遮断し、他の人感スイッチ２のスイッチ２４によって回路が導通していなければ、照明３は消灯する（Ｓ３４、Ｓ３５）。
【００２５】
なお、自身のスイッチ２４が回路を導通している間に、人体を再度検知した場合（Ｓ３６）、タイマー２３のカウントは更新され、第１の時間のカウントを再開する（Ｓ３７、Ｓ３２１）。たとえば人体が検知範囲２Ｒから離脱していない間、センサ２１から継続的に検知信号を受信するため、Ｓ３７からＳ３２１の動作が繰り返され、第１の時間のカウントが再開され続ける。
【００２６】
Ｓ３１で回路が導通している場合、たとえば人が経路Ｃをたどって検知範囲２ａＲから検知範囲２ｂＲに移動し、人感スイッチ２ａのタイマー２３がカウント終了しておらず、回路が導通されているときに、人感スイッチ２ｂのセンサ２１が人体を検知した場合、人感スイッチ２ｂの判断部２２は、照明３がすでに点灯していると判断し、人感スイッチ２ｂのタイマー２３に第２の時間として１０秒をカウントさせる（Ｓ３３２）。次に、人感スイッチ２ｂのスイッチ２４は回路を導通し、照明３を人感スイッチ２ｂのタイマー２３がカウントしている期間中遷移状態に移行させる（Ｓ３３）。すなわち１０秒が経過するまで照明３の点灯状態を維持させる。
【００２７】
タイマー２３のカウントが終了すると、スイッチ２４は回路を遮断し、他の人感スイッチ２のスイッチ２４によって回路が導通していなければ、照明３は消灯する（Ｓ３４、Ｓ３５）。
【００２８】
なお、自身のスイッチ２４が回路を導通している間に、人体を再度検知した場合（Ｓ３６）、タイマー２３のカウントは更新され、第１の時間のカウントを再開する（Ｓ３７、Ｓ３２２）。たとえば人体が検知範囲２Ｒｂから離脱していない間、センサ２１から継続的に検知信号を受信するため、Ｓ３７からＳ３２２の動作が繰り返され、第２のカウントが再開され続ける。
【００２９】
図４および図５は、それぞれ従来の電気システム、および第１の実施形態にかかる電気システム１の動作シーケンスを示す。
【００３０】
図４の従来例において、人感スイッチ２ａは、人体を検知すると、照明３を点灯させ、３０秒のカウントを開始し、カウントが終了するまで点灯状態を維持する。このとき、人感スイッチ２ｂが人体を検知すると、同じく３０秒のカウントを開始し、カウントが終了するまでの間照明３の点灯状態を維持する。
【００３１】
結果、照明３は、最後に人体を検知した人感スイッチ２ｂが人体を検知してから３０秒後に消灯する。すなわち、人感スイッチ２ｂは人体が経路Ｃから離脱したことを検知したにもかかわらず、３０秒間照明３を点灯させる。
【００３２】
図５において、人感スイッチ２ａは、検知範囲２ａＲにおいて人体を検知すると、まず回路が導通しているか否かを確認し、導通していない場合、すなわち照明３が消灯状態であると判断したとき、照明３の動作状態を点灯状態に切換え、３０秒のカウントを開始し、カウントが終了するまで点灯状態を維持する。
【００３３】
このとき、人が経路Ｃをたどりセンサ２１ｂの検知範囲２ｂＲに進入し、人感スイッチ２ｂが人体を検知すると、同じようにまず回路が導通しているか否かを確認する。回路は、人感スイッチ２ａが人体を検知したことによって導通されているため、照明３が点灯状態であると判断する。すなわち、人が検知範囲２ａＲから経路Ｃをたどり、検知範囲２ｂＲに入ったため、短期間内に経路Ｃを離脱することが想定され、人感スイッチ２ｂは１０秒のカウントを再開し、１０秒が経過するまで点灯状態を維持する。１０秒のカウントが終了すると、スイッチ２４は回路を遮断し、照明３は点灯状態から消灯状態に移行される。なお、図５には図示しないが、人感スイッチ２ａが人体を検知したことによって導通しているときに、人感スイッチ２ａが再度人体を検知した場合は第１の時間をリセットし３０秒のカウントを開始するため、人感スイッチ２ａのスイッチ２４は、人が検知範囲２ａＲを離脱して３０秒後に遮断する。同じように、人感スイッチ２ｂのスイッチ２４は、人が検知範囲２ｂＲを離脱して１０秒後に遮断する。
【００３４】
結果、照明３は、最後に人体を検知した人感スイッチ２ｂが人体を検知し、人が検知範囲２ｂＲを離脱してから１０秒後に消灯する。すなわち、人感スイッチ２ｂは人体が経路Ｃから離脱したことを検知し、人体が経路Ｃから離脱してから１０秒間だけ照明３を点灯させる。人感スイッチ２ｂのカウントが人感スイッチ２ａより早く終了した場合は、人感スイッチ２ａのタイマ２３がカウントを終了してから照明３は消灯する。
【００３５】
（第１の実施形態の効果）
【００３６】
本実施形態によれば、適切な遷移状態の維持期間を判断する人感スイッチを用いて、人間が経路から離脱したあと、通常より早く消灯させることができる。
【００３７】
（第２の実施形態）
第１の実施形態では、各々の人感スイッチ２が、回路が導通しているか否かで照明３の動作状態を判断する例を用いて説明した。第２の実施形態では、たとえば複数のセンサ２１から検知信号を受信する制御装置４を、照明３または電気システム５の任意の箇所に備え、制御装置４が人体を検知したセンサが最初に検知信号を発信した前記人感センサであるか否かの判断、負荷の遷移状態を維持するカウント時間の設定、および動作状態の切換えを行うことによって照明３を制御する例を説明する。ここで、前述の判断部２２、タイマー２３、スイッチ２４は制御装置４に備えられるが、各構成は一つの制御装置４ではなく、それぞれ電気システム５の任意の箇所に備えられてもよい。また、最初に検知信号を発信した人感センサとは、負荷が待機状態のときに人体を検知した人感センサ、すなわち負荷を待機状態から遷移状態に切換えた検知信号を送信した人感センサを指す。
【００３８】
図６は、第２の実施形態にかかる電気システム５の全体図を示す。電気システム５は、２つのセンサ２１と、制御装置４と、制御装置４によって制御される負荷とする照明３と、を有する。センサ２１と制御装置４との連結は、電気線を用いても、有線や無線通信を用いてもよい。第１の実施形態と同一の構成については同符号を付してその詳細な説明は省略する。
【００３９】
電気システム５は、たとえば階段や廊下などに配置される、負荷としての照明、換気扇などを備えた電気システムであり、複数のセンサ２１がそれぞれ異なる場所に設置され、負荷が待機状態のときに前記スイッチ２１のいずれか一が人体を検知した場合、前記負荷の動作状態が所定期間遷移状態に移行され、所定期間経過後に待機状態に戻る。
【００４０】
本実施形態では、廊下に配置された負荷としての照明３の自動点灯システムにおいて、人間がセンサ２１ａの検知範囲２ａＲからセンサ２１ｂの検知範囲２ｂＲ方向に向かって移動する状況をもって説明する。また、本実施形態では、人間がセンサ２１ａの検知範囲２ａＲからセンサ２１ｂの検知範囲２ｂＲまでの移動経路を経路Ｃと称する。照明３は消灯状態を待機状態とし、人間が経路Ｃに進入した際に遷移状態として点灯状態に移行する。具体的には、人間が経路Ｃに進入したとき、センサ２１ａが人間を検知し、照明３を点灯する。
【００４１】
図７は、第２の実施形態にかかる制御装置４の機能構成を表す。制御装置４は、センサ２１からの人体検知信号を受信する受信部３１と、照明３の動作状態を判断する判断部２２と、受信部３１が受信した信号および判断部２２によって起動するタイマー２３と、タイマー２３に設定されたカウント時間が経過するまで照明３を点灯させるスイッチ２４と、を有する。
【００４２】
受信部３１は、任意のセンサ２１から人体を検知したことを示す信号を受信する。受信部３１とセンサ２１とは、電気的または無線、有線など任意の通信手段によって連結されてもよい。
【００４３】
判断部２２は、任意のセンサ２１から人体を検知したことを示す検知信号を受信したとき、当該検知信号の発信元が最初に検知信号を発信したセンサ２１と同一であるか否かを判断する。発信元が最初に検知信号を発信したセンサ２１と同一であるか否かの判断は、たとえばセンサ２１が発信する検知信号に当該センサ２１を特定する識別子を付加させ、負荷が待機状態のときに受信した検知信号の識別子を格納し、当該識別子と受信した検知信号の識別子とを比較することで実現できる。または、前回受信した検知信号の識別子を格納し、次に受信した検知信号の識別子と比較するなど、任意の方法を用いて判断してもよい。
【００４４】
図８は、第２の実施形態にかかる制御装置３の動作フローを示す。
【００４５】
まず、電気システム５の任意のセンサ２１ａが初めて人間を検知したとき、すなわち、人間が検知範囲２Ｒａに進入したことを検知することによって開始する（Ｓ８０）。センサ２１ａから人間を検知した旨の検知信号を受信すると、タイマー２３は第１の時間のカウントを開始し（Ｓ８１）スイッチ２４によって回路を導通させ、照明３をタイマー２３がカウントしている期間中遷移状態に移行させる、すなわち３０秒が経過するまで点灯状態を維持させる（Ｓ８２）。
【００４６】
制御装置４はＳ８３からＳ８４を繰り返し、カウント期間中に、任意のセンサ２１から再度人体を検知した信号を受信した場合（Ｓ８４、Ｓ８５）、タイマー２３のカウントを更新する。たとえば人間が検知範囲２ａＲから離脱していない間、センサ２１ａから継続的に検知信号を受信するため、Ｓ８１１からＳ８５の動作が繰り返され、第１の時間のカウントが再開され続ける。また、たとえば人が検知範囲２ａＲから検知範囲２ｂＲに移動し、タイマー２３がカウント中にセンサ２１ｂから人体を検知したことを示す検知信号を受信した場合、発信元がカウントを開始させたセンサ２１ａと異なるため、第２の時間のカウントを開始する（Ｓ８５、Ｓ８１２）。なお、このとき、Ｓ８２においてすでに照明３を遷移状態に切換えているため、スイッチを切換えずタイマーのカウント時間を更新するのみでよい。第２の時間をカウントしている間、センサ２１ｂから検知信号を受信したとき、すなわち人が検知範囲２ｂＲから離脱していない間、センサ２１ｂから継続的に検知信号を受信するため、Ｓ８１２からＳ８７の動作が繰り返され、第２の時間のカウントが再開され続ける。
【００４７】
タイマー２３のカウントが終了すると、スイッチ２４は回路を遮断し、照明３を消灯する（Ｓ８８）。
【００４８】
図９は、第２の実施形態にかかる電気システム５の動作シーケンスを示す。
【００４９】
図９において、センサ２１ａは、検知範囲２ａＲにおいて人体を検知すると、人体を検知したことを示す検知信号を制御装置４に送信する。当該検知信号は、制御装置４が初めて受信した検知信号であるため、照明３の動作状態を点灯状態に切換え、タイマー２３が３０秒のカウントを開始する。なお、初めて受信した検知信号であるか否かは、判断部２２が受信した検知信号の識別子が格納されているか否かを検査するなどの方法を用いて判断してもよい。
【００５０】
このとき、人間が経路Ｃをたどりセンサ２１ｂの検知範囲２ｂＲに進入し、センサ２１ｂが人体を検知すると、人体を検知したことを示す検知信号を制御装置４に送信する。判断部２２は、前記検知信号を受信すると、発信元が最初にタイマー２３を稼働させたセンサと同一か否かを確認する。タイマー２３は、センサ２１ａが人体を検知したことにより稼働されているため、判断部２２は、前記受信した検知信号の発信元が最初に検知信号を発信したセンサ２１ではないと判断し、タイマー２３に第２の時間として１０秒をカウント開始させる。すなわち、人間が検知範囲２ａＲから経路Ｃをたどり、検知範囲２ｂＲに入ったため、短期間内に経路Ｃを離脱することが想定され、タイマー２３は１０秒のカウントを開始し、１０秒が経過するまで点灯状態を維持する。１０秒のカウントが終了すると、スイッチ２４は回路を遮断し、照明３は点灯状態から消灯状態に移行される。
【００５１】
結果、照明３は、最後に人体を検知したセンサ２１ｂが人体を検知し、人が検知範囲２ｂＲを離脱してから１０秒後に消灯する。すなわち、センサ２１ｂは人体が経路Ｃから離脱したことを検知し、人体が経路Ｃから離脱してから１０秒間だけ照明３を点灯させる。
【００５２】
（第２の実施形態の効果）
【００５３】
本実施形態によれば、複数のセンサから人体検知信号を受信することで、遷移状態の維持期間を統合判断する判断部およびタイマーを用いて、人間が経路から離脱したあと、通常より早く消灯させることができる。判断処理およびタイマーはシステムに一つ備えていればよく、第１の実施形態より安価にできる。
（他の実施形態）
【００５４】
第１の実施形態および第２の実施形態では、人感スイッチ２またはセンサ２１を２つ備えた電気システムを用いて説明したが、人感スイッチ２またはセンサ２１を２つ以上備えた電気システム、あるいは手動スイッチを組み合わせた電気システムにおいて本発明を適用してもよい。
【００５５】
なお、本実施形態では人体を検知したことをトリガーに照明３を作動させる電気システムを例に説明するが、たとえば扇風機や換気扇などといった電気機器であっても、複数種類の電気機器を組み合わせた電気システムであってもよい。
【００５６】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
２…人感スイッチ
２１…センサ
２２…判断部
２３…タイマー
２４…スイッチ
【図１】
2016157512.tif 000003
【図２】
2016157512.tif 000004
【図３】
2016157512.tif 000005
【図４】
2016157512.tif 000006
【図５】
2016157512.tif 000007
【図６】
2016157512.tif 000008
【図７】
2016157512.tif 000009
【図８】
2016157512.tif 000010
【図９】
2016157512.tif 000011